(57)【要約】【課題】簡単な構成で、物品を取り出さずに底壁部材の上下位置を変更可能にする。【解決手段】内部に物品を収納する収納具であって、物品を載置可能な底壁部材６と該底壁部材６から立設した側壁部材５ａ〜５ｄとを備え、上部が開口した第１の収納容器３と、立設した側壁部材１０ａ〜１０ｄを備え、上部及び下部が開口するとともに、第１の収納容器３の上部及び下部に着脱可能な第２の収納容器４と、を含んで構成され、第１の収納容器３と第２の収納容器４とを重ね合わせて使用する。【選択図】図４
2008000327.tif 000002
【特許請求の範囲】
【請求項１】
内部に物品を収納する収納具であって、
物品を載置可能な底壁部材と該底壁部材から立設した第１の周壁部材とを備え、上部が開口した第１の収納容器と、
立設した第２の周壁部材を備え、上部及び下部が開口するとともに、前記第１の収納容器の上部及び下部に着脱可能な第２の収納容器と、を含んで構成され、
前記第１の収納容器と前記第２の収納容器とが重ね合わせて使用されることを特徴とする収納具。
【請求項２】
前記第１の周壁部材、前記底壁部材及び前記第２の周壁部材は、線材により柵状または網目状に形成されたことを特徴とする請求項１に記載の収納具。
【請求項３】
前記第１の周壁部材、前記底壁部材及び前記第２の周壁部材は、板材により形成されたことを特徴とする請求項１に記載の収納具。
【請求項４】
前記第１の収納容器の高さと前記第２の収納容器の高さとが異なることを特徴とする請求項１〜３のいずれか１つに記載の収納具。
【請求項５】
前記第１の収納容器の高さと前記第２の収納容器の高さとの比は、略２：１または略１：２であることを特徴とする請求項４に記載の収納具。
【請求項６】
少なくとも前記第２の周壁部材の上部に、前記第１の収納容器の上部及び下部を挟持可能な、前記第１の収納容器と前記第２の収納容器とを固定する一対の固定部材を備えたことを特徴とする請求項１〜５のいずれか１つに記載の収納具。
【発明の詳細な説明】
【技術分野】
【０００１】
本発明は、商品等の物品を収納する収納具に係り、特に、物品を内部に積み重ねて収納する収納具に関する。
【背景技術】
【０００２】
コンビニエンスストア等の店舗には、一般的にアイス等の小型の商品を陳列するショーケースが設置されている。このショーケースは、上部が開口しており、内部に例えば箱状に形成された収納具が複数設置されている（特許文献１参照）。各収納具の内部には、商品が種類毎に積み重ねて収納される。収納具は上部が開口しており、購買者が上方から手を入れて収納具内の商品を取り出し可能になっている。
【特許文献１】特開平５−２２００３２号公報
【発明の開示】
【発明が解決しようとする課題】
【０００３】
例えば、アイス等の季節商品は、気候によって販売数量が大きく変動する。季節等の理由により商品の販売個数が多く見込まれないときには、在庫を極力避けるために商品を補充せず、ショーケース内に少数しか商品を置かない場合がある。このような場合では、商品は収納具内の下部に位置することになり、上方から商品が見難くかつ取りづらくなるので、商品の売行きに影響する虞がある。
【０００４】
そこで、このような問題を解決するために、商品が載置される底壁部材（底板）を着脱可能にし、複数の上下位置に底壁部材が移動可能な収納具が考えられる。具体的には、例えば、収納具を上部が開口した直方体のかご状に形成し、底壁部材を複数の上下位置で周壁部材（側壁）に係止可能にすることによって、このような収納具が簡単な構成で実現可能となる。
【０００５】
しかしながら、このような構成の収納具では、商品を全て収納具から取り出さないと底壁部材の移動が困難であり、商品が収納具内に残っている状態で底壁部材の上下位置を変更するには、商品を全て収納具から取り出し、底壁部材の移動後に、取り出した商品を再び収納しなければならず、手間が掛かるといった問題がある。
本発明はこのような問題点を解決するためになされたもので、その目的とするところは、商品等の物品を積み重ねて内部に収納する収納具において、簡単な構成で、物品を取り出さずに底壁部材の上下位置を変更可能な収納具を提供することにある。
【課題を解決するための手段】
【０００６】
上記の目的を達成するために、請求項１の発明は、内部に物品を収納する収納具であって、物品を載置可能な底壁部材と該底壁部材から立設した第１の周壁部材とを備え、上部が開口した第１の収納容器と、立設した第２の周壁部材を備え、上部及び下部が開口するとともに、前記第１の収納容器の上部及び下部に着脱可能な第２の収納容器と、を含んで構成され、前記第１の収納容器と前記第２の収納容器とが重ね合わせて使用されることを特徴とする。
【０００７】
また、請求項２の発明は、請求項１の発明において、前記第１の周壁部材、前記底壁部材及び前記第２の周壁部材は、線材により柵状または網目状に形成されたことを特徴とする。
また、請求項３の発明は、請求項１の発明において、前記第１の周壁部材、前記底壁部材及び前記第２の周壁部材は、板材により形成されたことを特徴とする。
【０００８】
また、請求項４の発明は、請求項１〜３のいずれか１つの発明において、前記第１の収納容器の高さと前記第２の収納容器の高さとが異なることを特徴とする。
また、請求項５の発明は、請求項４の発明において、前記第１の収納容器の高さと前記第２の収納容器の高さとの比は、略２：１または略１：２であることを特徴とする。
また、請求項６の発明は、請求項１〜５のいずれか１つの発明において、少なくとも前記第２の周壁部材の上部に、前記第１の収納容器の上部及び下部を挟持可能な、前記第１の収納容器と前記第２の収納容器とを固定する一対の固定部材が備えられたことを特徴とする。
【発明の効果】
【０００９】
本発明の請求項１の収納具によれば、第２の収納容器を第１の収納容器の上部または下部に選択的に重ね合わせることにより、底壁部材の上下位置の異なる収納具が得られる。したがって、簡単な構成で、第１の収納容器内に収納されている物品を取り出すことなく、底壁部材の上下位置を変更可能な収納具を得ることができる。
また、請求項２の収納具によれば、第１の周壁部材、底壁部材及び第２の周壁部材が、線材により柵状または網目状に形成された収納具において、底壁部材の上下位置を変更可能な収納具を得ることができる。
【００１０】
また、請求項３の収納具によれば、第１の周壁部材、底壁部材及び第２の周壁部材が板材により形成された収納具において、底壁部材の上下位置を変更可能な収納具を得ることができる。
また、請求項４の収納具によれば、第１の収納容器の下部に第２の収納容器を重ね合わせた場合、収納具全体を反転することによって、反転しない場合の収納具に対して底壁部材の上下位置の異なる収納具を得ることができる。
【００１１】
また、請求項５の収納具によれば、第１の収納容器の上部に第２の収納容器を重ね合わせた場合と、第１の収納容器の下部に第２の収納容器を重ね合わせた場合と、第１の収納容器の下部に第２の収納容器を重ね合わせ収納具全体を反転させた場合とで、底壁部材の上下位置を３通りに設定することが可能となる。
また、請求項６の収納具によれば、一対の固定部材により第１の収納容器が挟持されることにより、簡単な構成で第１の収納容器と第２の収納容器とが固定され、第１の収納容器と第２の収納容器とを重ね合わせて一体化した収納具を得ることができる。
【発明を実施するための最良の形態】
【００１２】
以下、本発明の実施例を添付図面に基づいて説明する。
図１は、本発明に係る収納具１が設置されたショーケース２の全体図である。
図１に示すように、コンビニエンスストア、スーパーストア等の店舗に設置され、アイス等の商品を陳列するショーケース２は、上部が開口しており、ショーケース２内に陳列された商品を購買者が上方から手を入れて取り出し可能な構造になっている。
【００１３】
ショーケース２内には、商品を収納する収納具１が複数設置されている。収納具１は、第１の収納容器３及び第２の収納容器４を重ね合わせて構成されている。
第１の収納容器３は、図２に示すように、外形が直方体状であって、前後左右に側壁部材５ａ、５ｂ、５ｃ、５ｄ（本発明の第１の周壁部材に該当する）と底壁部材６とを備え、上部が開口している。側壁部材５ａ、５ｂ、５ｃ、５ｄは、線材により柵状に形成されている。底壁部材６は、第１の収納容器３の下部に位置し、線材により網目状に形成されている。第１の収納容器３は、底壁部材６の上面に商品を積み重ねることにより複数個の商品を収納可能な機能を有している。第１の収納容器３の高さは、ショーケース２の庫内高さの略２／３に設定されている。第１の収納容器３の幅（長尺側）及び奥行き（短尺側）は、ショーケース２の庫内寸法等に応じて適宜設定すればよい。また、底壁部材６の下面には、その幅方向両端近傍に、線材で形成された座部材７ａ、７ｂが固着されている。座部材７は、第１の収納容器３の奥行き方向に直線状に延び、その両端は側壁部材５ａ、５ｂの近傍まで延びている。
【００１４】
第２の収納容器４は、図３に示すように、外形が直方体状であって、前後左右に側壁部材１０ａ、１０ｂ、１０ｃ、１０ｄ（本発明の第２の周壁部材に該当する）を備え、上部及び下部が開口している。側壁部材１０ａ、１０ｂ、１０ｃ、１０ｄは、線材により柵状に形成されている。第２の収納容器４の幅（長尺側）は、第１の収納容器３の幅と略同一である。第２の収納容器４の高さは、第１の収納容器３の略１／２に設定されている。奥行き方向両側の側壁部材１０ａ、１０ｂには、第１の収納容器３と第２の収納容器４とを固定する固定部材１１ａ、１１ｂが備えられている。固定部材１１ａ、１１ｂは、側壁部材１０ａ、１０ｂを形成する線材の一部が上方に延びて側壁部材１０ａ、１０ｂの上端から突出して形成されている。第２の収納容器４の奥行き（短尺側）は、一対の固定部材１１ａ、１１ｂの間に第１の収納容器３の上端部及び下端部が挿入して挟持されるように、第１の収納容器３の奥行きより若干大きく設定されている。
【００１５】
以上のような構成の第１の収納容器３と第２の収納容器４とを上下に重ね合わせることによって、全体高さＨがショーケース２の庫内高さと略同一となる収納具１が構成される。
次に、図４〜８を用いて、第１の収納容器３及び第２の収納容器４の重ね合わせ方法について説明する。
【００１６】
図４に示すように、第１の収納容器３の上部に、第２の収納容器４を反転させて重ね合わせ、一対の固定部材１１ａ、１１ｂの間に第１の収納容器３の上端部を挿入して挟持させることにより、第１の収納容器３と第２の収納容器４とを固定する。これにより、図５に示すように、下端部に底壁部材６が位置する収納具１ａが得られる。
一方、図６に示すように、第２の収納容器４の上部に第１の収納容器３を重ね合わせ、一対の固定部材１１ａ、１１ｂの間に第１の収納容器３の下端部を挿入することにより、第１の収納容器３と第２の収納容器４とを固定する。これにより、図７に示すように、下端から全体高さＨの略１／３上方に底壁部材６が位置する収納具１ｂが得られる。また、このとき、座部材７ａ、７ｂのそれぞれが第２の収納容器４の側壁部材１０ｃ、１０ｄそれぞれの内部側近傍に入り込むこととなる。したがって、座部材７ａ、７ｂが第２の収納容器４の側壁部材１０ｃ、１０ｄにそれぞれ当接することで、第１の収納容器３と第２の収納容器４との幅方向（長尺方向）の相対的な移動も拘束され、第１の収納容器３と第２の収納容器４とを確実に固定することができる。
【００１７】
このように、第１の収納容器３と第２の収納容器４との重ね合わせ方法を変更することにより、底壁部材６の上下位置の異なった収納具１ａ、１ｂを容易に得ることができる。したがって、商品の収納個数に応じて重ね合わせ方法を変更することで、底壁部材６の上下位置を変更して商品を極力上方に位置させることが可能となる。これにより、商品が見やすくかつ捕りやすくなり、商品の販売を促進させることができる。
【００１８】
また、第１の収納容器３に対して第２の収納容器４を移動することにより底壁部材６の上下位置が移動することになるので、第１の収納容器３から商品を取り出さずに底壁部材６の上下位置の変更が可能となり、この変更時の手間を抑制することができる。
更に、図８に示すように、第１の収納容器３を反転して、その上部に第２の収納容器４を重ね合わせ、一対の固定部材１１ａ、１１ｂの間に第１の収納容器３の上端部（反転前では下端部となる）を挿入して収納具１ｃを得てもよい。これは、図７に示す収納具１ｂ全体を反転させた状態と一致する。この場合、下端から全体高さＨの略２／３上方に底壁部材６が位置することとなる。これにより、季節等の理由により商品の販売個数が多く見込まれないときに、商品を更に上方に位置させることができる。
【００１９】
なお、図９に示すように、更に、第２の収納容器４の左右の側壁部材１０ｃ、１０ｄの外側に、線材を楕円状に折り曲げて形成した固定部材１２ａ、１２ｂを夫々設けてもよい。これにより、一対の固定部材１２ａ、１２ｂの間に第１の収納容器３の上端部または下端部を挿入することによって、第１の収納容器３と第２の収納容器４との幅方向（長尺方向）の相対移動が拘束されるので、第１の収納容器３と第２の収納容器４とを確実に固定することができる。
【００２０】
また、図１０に示すように、周壁部材１０ａ、１０ｂの外側に、線材を楕円状に折り曲げて形成した固定部材１１ｃ、１１ｄを配設してもよい。このようにすれば、一対の固定部材１１ｃ、１１ｄの間に、他の第２の収納容器４の下端部が挿入可能となるので、第２の収納容器４を複数用意することによって、図１１に示すように、第１の収納容器３と第２の収納容器４とを固定するだけではなく、第２の収納容器４同士をも固定することができ、全体高さが更に大きい高さＨ’の収納具１ｄを得ることができる。
【００２１】
また、図１２に示すように、固定部材１１ｃ、１１ｄを側壁部材１０ａ、１０ｂの外側に配設するとともに、左右の周壁部材１０ｃ、１０ｄの外側に固定部材１２ａ、１２ｂを設けてもよい。これにより、第１の収納容器３と第２の収納容器４とを確実に固定することができるとともに、第２の収納容器４同士をも確実に固定することができる。
なお、第１の収納容器３の高さと第２の収納容器４との高さの比を逆に１：２に設定してもよい。
【００２２】
このように高さの比を上記の実施形態のように２：１あるいは１：２に設定することにより、第１の収納容器３の上部に第２の収納容器４を重ね合わせた場合と、第１の収納容器３の下部に第２の収納容器４を重ね合わせた場合と、第１の収納容器３の下部に第２の収納容器４を重ね合わせ収納具１ｂ全体を反転させた場合とで、底壁部材６の上下位置を全体高さＨの１／３毎に３通りに設定することができる。
【００２３】
また、このように、第１の収納容器３の高さと第２の収納容器４との高さの比を１：２または２：１に設定しなくとも、第１の収納容器３の高さと第２の収納容器４との高さとが異なるように設定してもよい。このようにすれば、上記同様に、第１の収納容器３の下部に第２の収納容器４を重ね合わせた場合、収納具１全体を反転することによって、反転しない場合に対して底壁部材６の上下位置を変更することができる。
【００２４】
また、本実施形態では、側壁部材５ａ〜５ｄ、１０ａ〜１０ｄ及び底壁部材６を、線材により柵状または網目状に形成しているが、これに限定されるものではなく、平板あるいはパンチングメタルのような開口部を有する板材等でその全てまたは一部を形成してもよい。  
また、本実施形態では、第１の収納容器３と第２の収納容器４とを固定する固定部材として、固定部材１１ａ〜１１ｄ、１２ａ、１２ｂを用いているが、これらの代わりに、例えば、側壁部材１０ａ〜１０ｄまたは側壁部材５ａ〜５ｄの外側にパチン錠等の固定装置を設けてもよい。
【００２５】
また、第１の収納容器３及び第２の収納容器４の外形を、円柱のような直方体以外の形状にしてもよい。
また、本実施形態ではショーケース２内に設置される収納具に本発明を適用しているが、これに限定されるものではなく、例えば、部品棚に設置される部品収納具のように、小型の物品を内部に収納し、上方から物品を取り出す構造の収納具であれば、本発明を適用することができる。
【図面の簡単な説明】
【００２６】
【図１】本発明に係る収納具を設置したショーケースの全体図である。
【図２】第１の収納容器の構造を示し、Ａ）は平面図、Ｂ）は正面図、Ｃ）は側面図である。
【図３】第２の収納容器の構造を示し、Ａ）は平面図、Ｂ）は正面図、Ｃ）は側面図である。
【図４】第１の収納容器と第２の収納容器との重ね合わせ方法を示す斜視図である。
【図５】図４の重ね合わせ方法により第１の収納容器と第２の収納容器とを固定した状態を示す正面図である。
【図６】第１の収納容器と第２の収納容器との他の重ね合わせ方法を示す斜視図である。
【図７】図６の他の重ね合わせ方法により第１の収納容器と第２の収納容器を固定した状態を示す正面図である。
【図８】更に他の重ね合わせ方法により第１の収納容器と第２の収納容器を固定した状態を示す正面図である。
【図９】第２の収納容器の他の実施形態を示す側面図である。
【図１０】第２の収納容器の更に他の実施形態を示す側面図である。
【図１１】第２の収納容器を複数固定した状態を示す正面図である。
【図１２】第２の収納容器の更に他の実施形態を示す側面図である。
【符号の説明】
【００２７】
１  収納具
３  第１の収納容器
４  第２の収納容器  
５ａ〜５ｄ  側壁部材
６  底壁部材
１０ａ〜１０ｄ  側壁部材
１１ａ〜１１ｄ  固定部材
１２ａ、１２ｂ  固定部材  
【図１】
2008000327.tif 000003
【図２】
2008000327.tif 000004
【図３】
2008000327.tif 000005
【図４】
2008000327.tif 000006
【図５】
2008000327.tif 000007
【図６】
2008000327.tif 000008
【図７】
2008000327.tif 000009
【図８】
2008000327.tif 000010
【図９】
2008000327.tif 000011
【図１０】
2008000327.tif 000012
【図１１】
2008000327.tif 000013
【図１２】
2008000327.tif 000014